(57)【要約】【課題】本発明は、表カバーとかご及び安全柵との干渉を避けつつ、表カバーを制御盤本体に接続したまま、開口部を容易に開放することを目的とするものである。【解決手段】ケース２７の側面部には、下段スライド板２２が設けられている。下段分割カバー２４は、下段スライド板２２に回動可能に連結されている。下段スライド板２２には、スリット２２ａ，２２ｂが設けられている。ケース２７には、下段スライド板２２のスライド動作を案内する軸部材３０ａ，３０ｂが設けられている。スリット２２ａ，２２ｂの形状は、下段分割カバー２４を制御盤本体２１の前方へスライドさせてから上方へスライドさせることにより開口部が開放されるような形状となっている。【選択図】図１
2014189386.tif 000002
【特許請求の範囲】
【請求項１】
前面に開口部が設けられているケースを有する制御盤本体、及び
前記開口部を開閉する表カバー
を備え、
前記ケースの幅方向一側の側面部には、前記ケースに対してスライド可能なスライド板が設けられており、
前記表カバーは、前記スライド板に回動可能に連結されており、
前記スライド板には、スリットが設けられており、
前記側面部には、前記スリットに沿って相対的に移動されることにより前記スライド板のスライド動作を案内するとともに、前記スライド板が前記ケースから外れるのを阻止する軸部材が設けられており、
前記スリットの形状は、前記表カバーを前記制御盤本体の前方へスライドさせてから上方へスライドさせることにより前記開口部が開放されるような形状となっているエレベータ制御盤。
【請求項２】
前記スリットは、互いに間隔をおいて前記スライド板に設けられた第１及び第２のスリットを有しており、
前記軸部材は、前記第１のスリットに通された第１の軸部材と、前記第２のスリットに通された第２の軸部材とを有している請求項１記載のエレベータ制御盤。
【請求項３】
前記第１及び第２のスリットの下端部の形状は、Ｊ字形に折り返された形状である請求項２記載のエレベータ制御盤。
【請求項４】
前記第１及び第２の軸部材は、前記ケースの奥行き方向及び上下方向に互いにずらして配置されている請求項２又は請求項３に記載のエレベータ制御盤。
【請求項５】
前記スライド板の下端部は、前記表カバーの下端部よりも下方へ突出するように延長されている請求項２から請求項４までのいずれか１項に記載のエレベータ制御盤。
【請求項６】
前記軸部材は、前記スリットに通された軸部と、前記軸部の端部に設けられており、前記軸部材の前記スリットからの抜けを阻止する頭部とを有している請求項１から請求項５までのいずれか１項に記載のエレベータ制御盤。
【請求項７】
前記頭部と前記スライド板との間には遊びが設けられており、遊びの分だけ前記スライド板及び前記表カバーが前記ケースの幅方向へスライド可能になっている請求項６記載のエレベータ制御盤。
【請求項８】
前記表カバーは、全閉位置にあるときカバー固定ネジにより前記ケースに固定されており、
前記表カバーには、前記カバー固定ネジを通すダルマ孔が設けられており、
前記表カバーは、蝶番を介して前記スライド板に連結されており、前記蝶番の軸に対して前記軸の長さ方向にスライド可能になっている請求項１から請求項７までのいずれか１項に記載のエレベータ制御盤。
【請求項９】
昇降路内を昇降されるかご、及び
前記昇降路内に設けられており、保守作業が前記かご上から行われるエレベータ制御盤
を備え、
前記エレベータ制御盤は、
前面に開口部が設けられているケースを有する制御盤本体と、
前記開口部を開閉する表カバーと
を備えており、
前記ケースの幅方向一側の側面部には、前記ケースに対してスライド可能なスライド板が設けられており、
前記表カバーは、前記スライド板に回動可能に連結されており、
前記スライド板には、スリットが設けられており、
前記側面部には、前記スリットに沿って相対的に移動されることにより前記スライド板のスライド動作を案内するとともに、前記スライド板が前記ケースから外れるのを阻止する軸部材が設けられており、
前記スリットの形状は、前記表カバーを前記制御盤本体の前方へスライドさせてから上方へスライドさせることにより前記開口部が開放されるような形状となっているエレベータ装置。
【請求項１０】
前記かごの上部に安全柵が設けられており、
前記表カバーは、前記かご上の床面を前記表カバーの下端と同じ高さにしたとき、前記安全柵の上端よりも上方までスライド可能になっている請求項９記載のエレベータ装置。
【発明の詳細な説明】
【技術分野】
【０００１】
この発明は、制御盤本体のケースの開口部が表カバーにより開閉されるエレベータ制御盤及びそれを用いたエレベータ装置に関するものである。
【背景技術】
【０００２】
従来のエレベータ制御盤では、前面カバーが上下方向に３つに分割されている。また、これらのカバーは蓋式であり、本体パネルの前面を開放する場合には、本体パネルからカバーが完全に取り外される（例えば、特許文献１参照）。
【０００３】
また、従来の他のエレベータ制御盤では、制御盤本体の前面に上部扉と下部扉とが設けられている。上部扉は、回動されて制御盤本体の開口の上半分を開放する。また、下部扉は、下方へスライドされて制御盤本体の開口の下半分を開放する（例えば、特許文献２参照）。
【先行技術文献】
【特許文献】
【０００４】
【特許文献１】特開２００２−３３８１５２号公報
【特許文献２】特開２００７−１０６５１２号公報
【発明の概要】
【発明が解決しようとする課題】
【０００５】
一般に、機械室レスエレベータでは、制御盤が昇降路内に設置される。このため、制御盤の設置位置（高さ）によっては、制御盤に対する保守作業をかご上から行う必要が生じる。これに対して、特許文献１に示された従来の制御盤では、カバーが本体から切り離されるため、落下に対する予防措置を講ずる必要があった。
【０００６】
また、かご上には作業者の安全のために安全柵が設けられているため、従来の扉式のカバーを有する制御盤では、カバーがかご又は安全柵と干渉し、カバーを展開させることが困難になってしまう。これに対して、特許文献２に示された従来の制御盤では、下部扉が下方へスライド可能となっているが、スライドできる扉が１枚だけであり、２枚以上の扉の適用については考慮されていなかった。また、下部扉がかごの天井よりも下方へスライドされるため、開閉作業の作業性が低い。
【０００７】
この発明は、上記のような課題を解決するためになされたものであり、表カバーとかご及び安全柵との干渉を避けつつ、表カバーを制御盤本体に接続したまま、開口部を容易に開放することができるエレベータ制御盤及びそれを用いたエレベータ装置を得ることを目的とする。
【課題を解決するための手段】
【０００８】
この発明に係るエレベータ制御盤は、前面に開口部が設けられているケースを有する制御盤本体、及び開口部を開閉する表カバーを備え、ケースの幅方向一側の側面部には、ケースに対してスライド可能なスライド板が設けられており、表カバーは、スライド板に回動可能に連結されており、スライド板には、スリットが設けられており、側面部には、スリットに沿って相対的に移動されることによりスライド板のスライド動作を案内するとともに、スライド板がケースから外れるのを阻止する軸部材が設けられており、スリットの形状は、表カバーを制御盤本体の前方へスライドさせてから上方へスライドさせることにより開口部が開放されるような形状となっている。
【発明の効果】
【０００９】
この発明のエレベータ制御盤は、ケースの幅方向一側の側面部に、ケースに対してスライド可能なスライド板が設けられており、表カバーは、スライド板に回動可能に連結されており、スライド板には、スリットが設けられており、側面部には、スリットに沿って相対的に移動されることによりスライド板のスライド動作を案内するとともに、スライド板がケースから外れるのを阻止する軸部材が設けられており、スリットの形状は、表カバーを制御盤本体の前方へスライドさせてから上方へスライドさせることにより開口部が開放されるような形状となっているので、表カバーとかご及び安全柵との干渉を避けつつ、表カバーを制御盤本体に接続したまま、開口部を容易に開放することができる。
【図面の簡単な説明】
【００１０】
【図１】この発明の実施の形態１による機械室レスエレベータを示す概略の構成図である。
【図２】図１のエレベータ制御盤を示す正面図である。
【図３】図２のエレベータ制御盤を示す左側面図である。
【図４】図２のエレベータ制御盤を示す平面図である。
【図５】図２のＶ部を拡大して示す正面図である。
【図６】図３のＶＩ部を拡大して示す側面図である。
【図７】図３の第１及び第２の下段カバー固定ネジを緩めた状態を示す側面図である。
【図８】図７の要部を拡大して示す側面図である。
【図９】図７の下段分割カバーを前方へ移動させた状態を示す側面図である。
【図１０】図９の要部を拡大して示す側面図である。
【図１１】図９の下段分割カバーを上方へ移動させた状態を示す正面図である。
【図１２】図１１のエレベータ制御盤を示す側面図である。
【図１３】図１２の要部を拡大して示す側面図である。
【図１４】図１２の下段分割カバーを前方へ移動させた状態を示す側面図である。
【図１５】図１４の要部を拡大して示す側面図である。
【図１６】図１４の下段分割カバーを上方へ移動させる途中の状態を示す正面図である。
【図１７】図１６のエレベータ制御盤を示す側面図である。
【図１８】図１６の要部を拡大して示す側面図である。
【図１９】図１７の下段スライド板と第１及び第２の下段軸部材との関係を拡大して示す斜視図である。
【図２０】図１６の下段分割カバーを開放位置に保持した状態を示す正面図である。
【図２１】図２０のエレベータ制御盤を示す側面図である。
【図２２】図２０の下段分割カバーを全開位置に展開させた状態を示す正面図である。
【図２３】図２２のエレベータ制御盤を示す側面図である。
【図２４】図２２の中段分割カバーを上方へ移動させる途中の状態を示す正面図である。
【図２５】図２４のエレベータ制御盤を示す側面図である。
【図２６】図２４の中段分割カバーを開放位置に保持した状態を示す正面図である。
【図２７】図２６のエレベータ制御盤を示す側面図である。
【図２８】図２６の中段分割カバーを全開位置に展開させた状態を示す正面図である。
【図２９】図２８のエレベータ制御盤を示す側面図である。
【図３０】この発明の実施の形態２によるエレベータ制御盤の要部を示す正面図である。
【図３１】図３０のエレベータ制御盤を示す側面図である。
【発明を実施するための形態】
【００１１】
以下、この発明を実施するための形態について、図面を参照して説明する。
実施の形態１．
図１はこの発明の実施の形態１による機械室レスエレベータ（エレベータ装置）を示す概略の構成図である。図において、昇降路１内の上部（頂部）には、巻上機２が配置されている。巻上機２は、駆動シーブ３と、駆動シーブ３を回転させる巻上機モータ（図示せず）と、駆動シーブ３の回転を制動する巻上機ブレーキ（図示せず）とを有している。
【００１２】
駆動シーブ３には、懸架体４が巻き掛けられている。懸架体４としては、複数本のロープ又は複数本のベルトが用いられている。懸架体４は、第１の端部（かご側端部）４ａと、第２の端部（釣合おもり側端部）４ｂとを有している。第１の端部４ａは、昇降路１内の上部に設けられた第１の綱止め部５ａに接続されている。第２の端部４ｂは、昇降路１内の上部に配置された第２の綱止め部５ｂに接続されている。
【００１３】
かご６及び釣合おもり７は、懸架体４により昇降路１内に吊り下げられており、巻上機２により昇降路１内を昇降される。昇降路１内には、かご６の昇降を案内する一対のかごガイドレール（図示せず）と、釣合おもり７の昇降を案内する一対の釣合おもりガイドレール（図示せず）とが設置されている。
【００１４】
かご６の下部には、第１及び第２のかご吊り車８ａ，８ｂが設けられている。釣合おもり７の上部には、釣合おもり吊り車９が設けられている。懸架体４は、第１の端部４ａ側から順に、第１のかご吊り車８ａ、第２のかご吊り車８ｂ、駆動シーブ３及び釣合おもり吊り車９に巻き掛けられている。即ち、かご６及び釣合おもり７は、２：１ローピング方式で吊り下げられている。
【００１５】
かご６の前面には、かご出入口を開閉するかごドア装置１０が設けられている。かご６上には、かご６上での保守作業時に立設される安全柵１１が設けられている。
【００１６】
昇降路１内の上部には、かご６の運転を制御するエレベータ制御盤１２が設置されている。また、エレベータ制御盤１２は、かご６と干渉しないように、真上から見てかご６と昇降路壁１ａとの間の空間に配置されている。
【００１７】
このため、エレベータ制御盤１２としては、上下方向の寸法が幅方向（図１の紙面に垂直な方向）の寸法よりも大きく、厚さ寸法（図１の左右方向の寸法）が幅方向の寸法よりも小さい薄型縦長の制御盤が用いられている。また、エレベータ制御盤１２に対する保守作業は、かご６上から行われる。
【００１８】
図２は図１のエレベータ制御盤１２を示す正面図、図３は図２のエレベータ制御盤１２を示す左側面図、図４は図２のエレベータ制御盤１２を示す平面図、図５は図２のＶ部を拡大して示す正面図、図６は図３のＶＩ部を拡大して示す側面図である。
【００１９】
エレベータ制御盤１２は、制御盤本体２１、下段スライド板２２、中段スライド板２３、下段分割カバー２４、中段分割カバー２５及び上段分割カバー２６を有している。
【００２０】
制御盤本体２１は、前面に開口部が設けられているケース２７と、ケース２７内に収容されている複数の制御機器（図示せず）とを有している。ケース２７の開口部は、分割カバー２４〜２６により開閉される。即ち、分割カバー２４〜２６は、それぞれ表カバーである。
【００２１】
下段分割カバー２４は、ケース２７の下段に配置されている。中段分割カバー２５は、下段分割カバー２４の上に隣接してケース２７の中段に配置されている。上段分割カバー２６は、中段分割カバー２５の上に隣接してケース２７の上段に配置されている。分割カバー２４〜２６は、それぞれ独立して開閉可能となっている。
【００２２】
下段スライド板２２及び中段スライド板２３は、ケース２７の幅方向一側（この例では正面から見て左側）の側面部に、ケース２７に対してスライド可能に設けられている。下段スライド板２２は、下段分割カバー２４に隣接してケース２７の側面部の下段に配置されている。中段スライド板２３は、中段分割カバー２５に隣接してケース２７の側面部の中段に配置されている。
【００２３】
下段分割カバー２４は、下段スライド板２２に複数（この例では２つ）の蝶番（回転支持具）２８ａ，２８ｂを介して回動可能に連結されている。下段スライド板２２の上下方向寸法は、下段分割カバー２４の上下方向寸法と同じである。また、下段スライド板２２の幅寸法は、ケース２７の奥行き寸法よりも小さい。
【００２４】
中段分割カバー２５は、中段スライド板２３に複数（この例では２つ）の蝶番２９ａ，２９ｂを介して回動可能に連結されている。中段スライド板２３の上下方向寸法は、中段分割カバー２５の上下方向寸法と同じである。また、中段スライド板２３の幅寸法は、ケース２７の奥行き寸法よりも小さい。
【００２５】
下段スライド板２２には、互いに間隔をおいて設けられた第１及び第２のスリット２２ａ，２２ｂが設けられている。ケース２７の側面部には、第１のスリット２２ａに通された第１の下段軸部材３０ａと、第２のスリット２２ｂに通された第２の下段軸部材３０ｂとが固定されている。
【００２６】
第１及び第２の下段軸部材３０ａ，３０ｂは、スリット２２ａ，２２ｂに沿って相対的に移動されることにより下段スライド板２２のスライド動作を案内する。また、第１及び第２の下段軸部材３０ａ，３０ｂは、下段スライド板２２がケース２７から外れるのを阻止する。
【００２７】
さらに、第１及び第２の下段軸部材３０ａ，３０ｂは、ケース２７の奥行き方向（図３の左右方向）及び上下方向に互いにずらして配置されている。第１の下段軸部材３０ａは、図５に示すように、第１のスリット２２ａに通された軸部３１と、軸部３１の端部に設けられており、第１の下段軸部材３０ａの第１のスリット２２ａからの抜けを阻止する球状の頭部３２とを有している。第２の下段軸部材３０ｂの形状も、第１の下段軸部材３０ａと同様である。
【００２８】
第１及び第２の下段軸部材３０ａ，３０ｂの頭部３２と下段スライド板２２との間には遊びが設けられており、遊びの分だけ下段スライド板２２及び下段分割カバー２４がケース２７の幅方向（図２の左右方向）へスライド可能になっている。
【００２９】
第１及び第２のスリット２２ａ，２２ｂの形状は、下段分割カバー２４を制御盤本体２１の前方（図３の右方向）へスライドさせてから上方へスライドさせることにより開口部が開放されるような形状となっている。下段分割カバー２４は、かご６上の床面を下段分割カバー２４の下端と同じ高さにしたとき、安全柵１１の上端よりも上方までスライド可能になっている。
【００３０】
具体的には、第１のスリット２２ａは、上部水平部３３、垂直部３４、下部水平部３５及び折り返し部３６を有している。上部水平部３３は、下段スライド板２２の上端部近傍に水平に設けられている。下部水平部３５は、下段スライド板２２の下端部近傍に水平に設けられている。
【００３１】
垂直部３４は、上部水平部３３の下段分割カバー２４とは反対側の端部と、下部水平部３５の下段分割カバー２４側の端部との間に垂直に設けられている。折り返し部３６は、下部水平部３５の垂直部３４とは反対側の端部から上方へ垂直に設けられている。即ち、第１のスリット２２ａの下端部の形状は、Ｊ字形に折り返された形状である。第２のスリット２２ｂの形状も、第１のスリット２２ａと同様である。
【００３２】
下段分割カバー２４は、全閉位置にあるとき第１及び第２の下段カバー固定ネジ３７ａ，３７ｂによりケース２７に固定されている。下段分割カバー２４には、下段カバー固定ネジ３７ａ，３７ｂを通す第１及び第２のダルマ孔２４ａ，２４ｂが設けられている。下段分割カバー２４は、蝶番２８ａ，２８ｂの軸に対して軸の長さ方向にスライド可能になっている。
【００３３】
中段スライド板２３には、下段スライド板２２と同様に、第１及び第２のスリット２３ａ，２３ｂが設けられている。第１及び第２のスリット２３ａ，２３ｂの形状は、第１及び第２のスリット２２ａ，２２ｂの形状と同様である。
【００３４】
ケース２７の側面部には、第１のスリット２３ａに通された第１の中段軸部材３８ａと、第２のスリット２３ｂに通された第２の中段軸部材３８ｂとが固定されている。中段軸部材３８ａ，３８ｂの形状及び機能は、下段軸部材３０ａ，３０ｂと同様である。
【００３５】
中段分割カバー２５は、全閉位置にあるとき第１及び第２の中段カバー固定ネジ３９ａ，３９ｂによりケース２７に固定されている。中段分割カバー２５には、中段カバー固定ネジ３９ａ，３９ｂを通す第１及び第２のダルマ孔２５ａ，２５ｂが設けられている。中段分割カバー２５は、蝶番２９ａ，２９ｂの軸に対して軸の長さ方向にスライド可能になっている。
【００３６】
上段分割カバー２６は、複数（この例では２つ）の蝶番４０ａ，４０ｂを介してケース２７に接続されている。即ち、上段分割カバー２６は、通常の扉式のカバーである。
【００３７】
次に、下段分割カバー２４及び中段分割カバー２５の開動作について説明する。まず、図２及び図３の状態から、図７及び図８に示すように、下段カバー固定ネジ３７ａ，３７ｂを緩める。これにより、カバー固定ネジ３７ａ，３７ｂの頭部と下段分割カバー２４の前面との間に隙間（遊び）が生じ、その分だけ下段分割カバー２４の前方への移動が可能になる。
【００３８】
続いて、図９及び図１０に示すように、下段分割カバー２４を前方（かご６上の作業者から見て手前）へ移動させる。このとき、第１及び第２の下段軸部材３０ａ，３０ｂは、第１及び第２のスリット２２ａ，２２ｂの上部水平部３３の中間まで相対的に移動される。
【００３９】
この後、蝶番２８ａ，２８ｂの軸の遊びを利用して、図１１〜図１３に示すように、下段分割カバー２４を僅かに上方へ移動させる。これにより、第１及び第２のカバー固定ネジ３７ａ，３７ｂは、第１及び第２のダルマ孔２４ａ，２４ｂの小径部から大径部へとそれぞれ相対的に移動される。
【００４０】
この状態から、図１４及び図１５に示すように、下段分割カバー２４を再度前方へ移動させ、第１及び第２のカバー固定ネジ３７ａ，３７ｂに第１及び第２のダルマ孔２４ａ，２４ｂを通過させる。このとき、第１及び第２の下段軸部材３０ａ，３０ｂは、第１及び第２のスリット２２ａ，２２ｂの上部水平部３３の下段分割カバー２４とは反対側の端部まで相対的に移動される。
【００４１】
次に、第１及び第２の下段軸部材３０ａ，３０ｂの頭部３２と下段スライド板２２との間の遊びを利用して、下段分割カバー２４を真横（図２の左方）へスライドさせる。この状態で、図１６〜図１８に示すように、第１及び第２のスリット２２ａ，２２ｂに沿って下段分割カバー２４及び下段スライド板２２を上方へスライドさせる。
【００４２】
このとき、下段分割カバー２４は、全閉位置から前方に移動されているため、中段分割カバー２５と干渉することなく、上方へスライドさせることができる。また、下段スライド板２２は、下段分割カバー２４とともに図２の左方へ移動されているため、中段スライド板２３と干渉することなく、上方へスライドさせることができる。
【００４３】
また、図１９に示すように、第１及び第２の下段軸部材３０ａ，３０ｂは、第１及び第２のスリット２２ａ，２２ｂの垂直部３４を相対的に下方へ移動される。このとき、頭部３２の径がスリット２２ａ，２２ｂの幅寸法よりも大きいため、下段スライド板２２が下段軸部材３０ａ，３０ｂから外れることがない。
【００４４】
下段軸部材３０ａ，３０ｂが垂直部３４の下端部に当接するまで下段分割カバー２４を上方へ移動させたら、下部水平部３５に沿って下段分割カバー２４及び下段スライド板２２を前方へ移動させる。そして、下段軸部材３０ａ，３０ｂが折り返し部３６の上端部に当接するまで、下段分割カバー２４及び下段スライド板２２を下方へ移動させる。これにより、図２０及び図２１に示すように、下段分割カバー２４が上方へ移動した位置に保持される。
【００４５】
この後、蝶番２８ａ，２８ｂの軸を中心として下段分割カバー２４を展開させることにより、図２２及び図２３に示すように、ケース２７の開口部の下段分割カバー２４に対応する部分全体が開放される。
【００４６】
図２４及び図２５は中段分割カバー２５を移動させる途中の状態を示しており、図２６及び図２７は中段分割カバー２５を開放位置に保持した状態を示しており、図２８及び図２９は中段分割カバー２５を全開位置に展開させた状態を示している。
【００４７】
中段分割カバー２５の開動作は、下段分割カバー２４の開動作と同様である。即ち、中段分割カバー２５は、下段分割カバー２４と同様の操作により、上段分割カバー２６と干渉することなく、開放位置に移動させることができ、全開位置に展開させることができる。
【００４８】
なお、中段分割カバー２５を先に開くことも可能であり、中段分割カバー２５又は下段分割カバー２４のみを独立して開くことも可能である。
【００４９】
このようなエレベータ制御盤では、分割カバー２４，２５とかご６及び安全柵１１との干渉を避けつつ、分割カバー２４，２５を制御盤本体２１に接続したまま、ケース２７の開口部を容易に開放することができ、ケース２７内の制御機器へのアクセス可能となる。
【００５０】
また、スライド板２２（２３）には、第１及び第２のスリット２２ａ，２２ｂ（２３ａ，２３ｂ）が互いに間隔をおいて設けられているので、第１のスリット２２ａ（２３ａ）に第１の軸部材３０ａ（３８ａ）が通され、第２のスリット２２ｂ（２３ｂ）に第２の軸部材３０ｂ（３８ｂ）が通されているので、分割カバー２４（２５）の引き上げ時に、分割カバー２４（２５）単独での保持が可能となる。
【００５１】
さらに、第１及び第２のスリット２２ａ，２２ｂ（２３ａ，２３ｂ）の下端部の形状が、Ｊ字形に折り返された形状であるため、分割カバー２４（２５）を開放位置に保持することができる。
【００５２】
さらにまた、第１及び第２の軸部材３０ａ，３０ｂ（３８ａ，３８ｂ）は、ケース２７の奥行き方向及び上下方向に互いにずらして配置されているので、分割カバー２４（２５）を開放位置に保持した際に、分割カバー２４（２５）の倒れ（スライド板２２（２３）の上端部がケース２７の側面部から離れる方向への倒れ）を防止することができる。
【００５３】
また、第１及び第２の軸部材３０ａ，３０ｂ（３８ａ，３８ｂ）の頭部３２とスライド板２２（２３）との間に遊びが設けられており、遊びの分だけスライド板２２（２３）及び分割カバー２４（２５）がケース２７の幅方向へスライド可能になっているので、分割カバー２４（２５）を上方へ移動させる際、スライド板２２（２３）がその上方に隣接するスライド板やカバー等と干渉するのを防止することができる。
【００５４】
さらに、分割カバー２４（２５）には、カバー固定ネジ３７ａ，３７ｂ（３９ａ，３９ｂ）を通すダルマ孔２４ａ，２４ｂ（２５ａ，２５ｂ）が設けられており、分割カバー２４（２５）は、蝶番２８ａ，２８ｂ（２９ａ，２９ｂ）の軸に対して軸の長さ方向にスライド可能になっているので、カバー固定ネジ３７ａ，３７ｂ（３９ａ，３９ｂ）を完全に取り外すことなく、カバー固定ネジ３７ａ，３７ｂ（３９ａ，３９ｂ）を緩めるだけで、分割カバー２４（２５）を上方へ移動させることができる。
【００５５】
なお、分割カバー２４（２５）を引き上げるための取っ手をスライド板２２（２３）に設けてもよい。これにより、突起や手摺孔を分割カバー２４（２５）に設けることなく、分割カバー２４（２５）の引き上げ作業を行うことができる。
【００５６】
実施の形態２．
次に、図３０はこの発明の実施の形態２によるエレベータ制御盤の要部を示す正面図、図３１は図３０のエレベータ制御盤を示す側面図であり、下段分割カバー２４が開放位置に保持されている状態を示している。実施の形態２では、下段スライド板２２の下端部が、下段分割カバー２４の下端部よりも下方へ突出するように延長されている。
【００５７】
これに対して、第１及び第２のスリット２２ａ，２２ｂの下端部は、下段分割カバー２４の下端部よりも上方に位置している。この例では、第１及び第２のスリット２２ａ，２２ｂの下端部が、下段スライド板２２の下端部から下段スライド板２２の幅寸法分だけ上の位置よりも上方に位置している。他の構成及び動作は、実施の形態１と同様である。
【００５８】
このようなエレベータ制御盤では、下段スライド板２２の下端部を下方へ伸ばしたので、下段分割カバー２４を開放位置に保持したときに、第１及び第２の下段軸部材３０ａ，３０ｂから下段スライド板２２の下端部までの長さを大きくすることができる。これにより、図３０の反時計方向への下段分割カバー２４の倒れを抑えることができる。また、下段スライド板２２をある程度傾斜させて保持することにより、下段分割カバー２４を展開した状態を保持し易くなる。
【００５９】
なお、軸部材の頭部の形状は、球状でなくてもよい。
また、カバー固定ネジは、１つ又は３つ以上でもよい。
さらに、上記の例では、全ての分割カバー２４〜２６が向かって左側に展開するが、右側に展開してもよい。また、異なる方向に展開する表カバーを組み合わせてもよい。
さらにまた、表カバーの枚数や上下方向寸法は特に限定されるものではなく、異なるサイズの表カバーを組み合わせてもよい。
また、エレベータ装置全体のレイアウト（機器の位置及び個数、ローピング方式等）は図１に限定されるものではなく、本発明のエレベータ制御盤は、他のレイアウトのエレベータ装置に適用してもよい。
【符号の説明】
【００６０】
１  昇降路、６  かご、１１  安全柵、１２  エレベータ制御盤、２１  制御盤本体、２２  下段スライド板、２２ａ  第１のスリット、２２ｂ  第２のスリット、２３  中段スライド板、２３ａ  第１のスリット、２３ｂ  第２のスリット、２４  下段分割カバー（表カバー）、２４ａ  第１のダルマ孔、２４ｂ  第２のダルマ孔、２５  中段分割カバー（表カバー）、２５ａ  第１のダルマ孔、２５ｂ  第２のダルマ孔、２７  ケース、２８ａ，２８ｂ，２９ａ，２９ｂ  蝶番、３０ａ  第１の下段軸部材、３０ｂ  第２の下段軸部材、３１  軸部、３２  頭部、３７ａ  第１の下段カバー固定ネジ、３７ｂ  第２の下段カバー固定ネジ、３９ａ  第１の中段カバー固定ネジ、３９ｂ  第２の中段カバー固定ネジ。
【図１】
2014189386.tif 000003
【図２】
2014189386.tif 000004
【図３】
2014189386.tif 000005
【図４】
2014189386.tif 000006
【図５】
2014189386.tif 000007
【図６】
2014189386.tif 000008
【図７】
2014189386.tif 000009
【図８】
2014189386.tif 000010
【図９】
2014189386.tif 000011
【図１０】
2014189386.tif 000012
【図１１】
2014189386.tif 000013
【図１２】
2014189386.tif 000014
【図１３】
2014189386.tif 000015
【図１４】
2014189386.tif 000016
【図１５】
2014189386.tif 000017
【図１６】
2014189386.tif 000018
【図１７】
2014189386.tif 000019
【図１８】
2014189386.tif 000020
【図１９】
2014189386.tif 000021
【図２０】
2014189386.tif 000022
【図２１】
2014189386.tif 000023
【図２２】
2014189386.tif 000024
【図２３】
2014189386.tif 000025
【図２４】
2014189386.tif 000026
【図２５】
2014189386.tif 000027
【図２６】
2014189386.tif 000028
【図２７】
2014189386.tif 000029
【図２８】
2014189386.tif 000030
【図２９】
2014189386.tif 000031
【図３０】
2014189386.tif 000032
【図３１】
2014189386.tif 000033